(57)【要約】【課題】樹脂材料で成形されたロータリートランス保持部材を具備し、安価であるとともに、高精度に組立が可能で、且つ組立不良を解体して再生することで、廃棄損失を大幅に低減出来るヘッドドラム装置を提供することを目的とする。【解決手段】ロータリートランス保持部材が、シャフトが圧入される孔部を有するとともに、固定側ロータリートランスを固着するための凸部を有し、縦弾性係数が３０００ＭＰａ〜６００００ＭＰａの樹脂材料で構成されることで、切削加工等された金属材料を用いることなく、安価で、高精度に組立ができ、且つ解体が容易なロータリートランス保持部材となる。【選択図】図１
2005317098.tif 000002
【特許請求の範囲】
【請求項１】
磁気テープを案内する固定ドラムと、前記固定ドラムに対し同軸的に回転し、少なくとも一つの磁気ヘッドを有する回転ドラムと、前記回転ドラムを回転自在に支持する軸受けを有し、且つ前記固定ドラムに固定されたシャフトと、前記回転ドラムと一体に設けられ、且つ磁気テープへの記録信号、または磁気テープからの再生信号を伝達する回転側ロータリートランスと、前記回転側ロータリートランスと所定の隙間を設けて、前記回転側ロータリートランスと対向する位置に配され、前記回転側ロータリートランスとの間で信号を授受する固定側ロータリートランスと、前記シャフトが圧入される孔部を有するとともに、前記固定側ロータリートランスを固着するための凸部を有するロータリートランス保持部材を備え、前記ロータリートランス保持部材は、縦弾性係数が３０００ＭＰａ〜６００００ＭＰａの樹脂材料であることを特徴とするヘッドドラム装置。
【請求項２】
ロータリートランス保持部材に、磁気テープをガイドするための外周壁を形成したことを特徴とする請求項１記載のヘッドドラム装置。
【請求項３】
ロータリートランス保持部材が、熱膨張係数が１×１０-5〜５×１０-5の樹脂材料で構成されていることを特徴とする請求項１記載、または請求項２記載のヘッドドラム装置。
【発明の詳細な説明】
【技術分野】
【０００１】
本発明は、ビデオテープレコーダー等に用いることができるヘッドドラム装置に関するものである。
【背景技術】
【０００２】
近年の小型ビデオカメラなどに使用されるヘッドドラム装置は、小型化を図るために回転駆動のためのモータ部品を回転ドラム下の固定ドラム内に設置し、電気回路と磁気ヘッド間で映像、音声信号を伝送するためのロータリートランスを回転ドラム上に構成することが多い（例えば特許文献１参照）。
【０００３】
以下に従来のヘッドドラム装置について説明する。
【０００４】
図３は従来のヘッドドラム装置１２の側面図を示す。図３においては、特にヘッドドラム装置１２の上部の構成を明確に示すためにヘッドドラム装置１２の上部のみの部分断面図とした。図３を説明すると、１は磁気テープ２を案内する固定ドラム、３は固定ドラム１に同軸的に配置された回転ドラム、４は回転ドラム３に少なくとも一つ固着された磁気ヘッド、５は回転ドラム３を回転自在にする軸受け（図示せず）を有するシャフト、６は回転ドラム３と一体に設けられ、磁気ヘッド４を介して磁気テープ２への記録信号、または磁気テープ２からの再生信号を伝達する回転側ロータリートランス、７は回転側ロータリートランス６と所定の隙間を設けて、回転側ロータリートランス６と対向する位置に配され、回転側ロータリートランス６との間で信号を授受する固定側ロータリートランス、１３はシャフト５に圧入される孔部を有するとともに、固定側ロータリートランス７を固着する面を有し、金属材料で切削加工されたロータリートランス保持部材である。なお、固定ドラム１の内部には、回転ドラム３を駆動するためのモータ構成部品（図示せず）が収納されている。こうしたヘッドドラム装置１２においては、磁気テープ２の記録および再生がなされる場合は、固定ドラム１で案内された磁気テープ２はヘッドドラム装置１２の外周に所定の位相にて巻き付けられる。さらに、磁気ヘッド４が安定して磁気テープ２に接触するために、磁気テープ２が巻き付けられる外周を形成する固定ドラム１と回転ドラム３は同軸的に配置される。また、映像および音声等の信号を効率よく伝送するために、回転側ロータリートランス６と固定側ロータリートランス７は、所定の隙間を設けた対向配置で構成される。
【０００５】
また、図４は別の従来のヘッドドラム装置１４の側面図を示す。このヘッドドラム装置１４は、回転ドラム３の外周の軸方向長さが磁気テープ２よりも幅が小さい場合である。ここで、１５はロータリートランス保持部材１３を介して回転ドラム３の上に配置され、アルミなどの金属材料で切削加工された、もしくは樹脂成形された上ドラムである。こうしたヘッドドラム装置１４は、回転ドラム３の外周の軸方向長さが磁気テープ２よりも幅が小さいことから、磁気テープ２が動作中に、回転ドラム３の上へ乗り上げないように、磁気テープ２をガイドするために、ロータリートランス保持部材１３を介して回転ドラム３の上に上ドラム２１を配置する構成となる。この場合、上ドラム１５はロータリートランス保持部材１３に対して、ビス（図示せず）や接着により固定されている。
【０００６】
以上のように図３のように構成された従来のヘッドドラム装置１２、および図４のように構成された従来のヘッドドラム装置１４について、以下にその動作について説明する。
【０００７】
磁気ヘッド４を含む回転ドラム３が回転することによって、固定側ロータリートランス７から回転側ロータリートランス６へ映像および音声等の信号が伝送され、磁気ヘッド４が磁気テープ２に接触する間に、映像および音声等の情報が記録される。また、記録済みの磁気テープ２であれば、上述した逆の経路で記録情報を再生することができる。
【特許文献１】特開平１０−１８８２４６号公報（第６頁、図１）
【発明の開示】
【発明が解決しようとする課題】
【０００８】
ここで上記の従来の構成では、固定側ロータリートランス７を固着するロータリートランス保持部材１３は、精度の良好な切削加工等が可能な金属材料を用いることで、シャフト５に圧入して、固定側ロータリートランス７を回転側ロータリートランス６に対して所定の隙間を設けた対向配置としている。しかしながら、こうした上記従来の構成では、ロータリートランス保持部材１３は高い精度が要求されるために加工費が高くなる。また一般的に金属材料であるシャフト５と、ロータリートランス保持部材１３の圧入においては、金属同士のかじりや焼付きを起こすことにより圧入精度不良を引き起こすことがある。また、そうした圧入不良を修理するための解体において、ロータリートランス保持部材１３をシャフト５から抜く力が、本来１２０Ｎ程度であるにも係らず、金属同士のかじりや焼付きにより１９６Ｎ以上必要になり、ヘッドドラム装置を破壊する可能性がある。こうした場合に、ヘッドドラム装置１２が廃棄せざるを得なくなり、製造不良損失コストが増加する。
【０００９】
本発明は上記従来の課題を解決するもので、切削加工等された金属材料を用いずに、樹脂材料で成形されたロータリートランス保持部材を具備することで、安価で、且つロータリートランス保持部材がシャフトから抜くことが容易になることで、解体が可能なヘッドドラム装置を提供することを目的とする。
【課題を解決するための手段】
【００１０】
この目的を達成するために本発明のヘッドドラム装置は、磁気テープを案内する固定ドラムと、前記固定ドラムに対し同軸的に回転し、少なくとも一つの磁気ヘッドを有する回転ドラムと、前記回転ドラムを回転自在に支持する軸受けを有し、且つ前記固定ドラムに固定されたシャフトと、前記回転ドラムと一体に設けられ、且つ磁気テープへの記録信号、または磁気テープからの再生信号を伝達する回転側ロータリートランスと、前記回転側ロータリートランスと所定の隙間を設けて、前記回転側ロータリートランスと対向する位置に配され、前記回転側ロータリートランスとの間で信号を授受する固定側ロータリートランスと、前記シャフトが圧入される孔部を有するとともに、前記固定側ロータリートランスを固着するための凸部を有するロータリートランス保持部材を備え、前記ロータリートランス保持部材は、縦弾性係数が３０００ＭＰａ〜６００００ＭＰａの樹脂材料で構成することによって、切削加工された金属材料を用いることなく、樹脂材料で成形されたロータリートランス保持部材を具備したヘッドドラム装置を提供することができる。
【発明の効果】
【００１１】
以上のように本発明は、樹脂材料で成形されたロータリートランス保持部材が、固定側ロータリートランスを固着し、シャフトに圧入されることにより、ヘッドドラム装置が安価になるとともに、高精度に組立が可能で、且つ組立不良を解体して再生することで、廃棄損失を大幅に低減出来るという効果が得られる。
【発明を実施するための最良の形態】
【００１２】
本発明の請求項１〜３に記載の発明は、磁気テープを案内する固定ドラムと、前記固定ドラムに対し同軸的に回転し、少なくとも一つの磁気ヘッドを有する回転ドラムと、前記回転ドラムを回転自在に支持する軸受けを有し、且つ前記固定ドラムに固定されたシャフトと、前記回転ドラムと一体に設けられ、且つ磁気テープへの記録信号、または磁気テープからの再生信号を伝達する回転側ロータリートランスと、前記回転側ロータリートランスと所定の隙間を設けて、前記回転側ロータリートランスと対向する位置に配され、前記回転側ロータリートランスとの間で信号を授受する固定側ロータリートランスと、前記シャフトが圧入される孔部を有するとともに、前記固定側ロータリートランスを固着するための凸部を有するロータリートランス保持部材を備え、前記ロータリートランス保持部材は、縦弾性係数が３０００ＭＰａ〜６００００ＭＰａの樹脂材料で構成したものであり、これにより、ヘッドドラム装置を安価で提供することが出来、またその製造過程において、高精度に組立が可能で、且つ組立不良を解体して再生することで、廃棄損失を大幅に低減するという目的を、ロータリートランス保持部材を樹脂材料で成形することにより実現した。
【００１３】
（実施の形態１）
図１は本発明の実施の形態１におけるヘッドドラム装置１０の側面図を示す。なお、図１においては、特にヘッドドラム装置１０の上部の構成を明確に示すためにヘッドドラム装置１０の上部のみの部分断面図とした。なお、１〜７は図３と同様であり、１は磁気テープ２を案内する固定ドラム、３は固定ドラム１に同軸的に配置された回転ドラム、４は回転ドラム３に少なくとも一つ固着された磁気ヘッド、５は回転ドラム３を回転自在にする軸受け（図示せず）を有するシャフト、６は回転ドラム３と一体に設けられ、磁気ヘッド４を介して磁気テープ２への記録信号、または磁気テープ２からの再生信号を伝達する回転側ロータリートランス、７は回転側ロータリートランス６と所定の隙間を設けて、回転側ロータリートランス６と対向する位置に配され、回転側ロータリートランス６との間で信号を授受する固定側ロータリートランスである。
【００１４】
８は樹脂材料で成形されたロータリートランス保持部材である。ロータリートランス保持部材８は、シャフト５が圧入される孔部を有するとともに、固定側ロータリートランス７を固着するための凸部８ａを有し、縦弾性係数が３０００ＭＰａ〜６００００ＭＰａの樹脂材料で構成されている。
【００１５】
ここで、図１に示すように、樹脂材料で成形されたロータリートランス保持部材８は、固定側ロータリートランス７を固着するための凸部８ａを、固定側ロータリートランス７の外径の大きさの面内に少なくとも３個設けている。これにより、樹脂材料の成形で発生する表面のうねりや粗さを無視することが出来る。また予め、成形する金型で凸部８ａの凸高さを調整しておくことで、樹脂材料で成形されたロータリートランス保持部材８においては、固定側ロータリートランス７を固着するための凸部８ａに固着された固定側ロータリートランス７が、シャフト５に圧入される孔部に対して、高精度な直角度を出すことが可能である。これにより、ロータリートランス保持部材８は、金属材料の切削加工を必要とせずに、樹脂材料で大量に成形生産することが出来る。なお、本実施の形態では凸部８ａは３個としたが、この個数に限定されるものではない。
【００１６】
また、ロータリートランス保持部材８をシャフト５から抜く時に必要な力として、少なくとも４．９Ｎを必要とし、且つヘッドドラム装置が破壊しない９８Ｎ以下を目安とした場合、ロータリートランス保持部材８に使用する樹脂材料は、縦弾性係数が３０００ＭＰａ〜６００００ＭＰａであることが望ましい。これは、ロータリートランス保持部材８をシャフト５から抜く時に必要な力が、ロータリートランス保持部材８の材料における縦弾性係数に比例することと、例えば図３に示すような、従来のロータリートランス保持部材１３の材料として使用されるアルミの縦弾性係数が７０３００ＭＰａであり、従来のロータリートランス保持部材１３をシャフト５から抜く力が、本来は１２０Ｎ程度となることから求められる。また、従来のロータリートランス保持部材１３の材料がアルミなどの金属の場合は、シャフト５との金属同士のかじりや焼付きにより、ロータリートランス保持部材１３をシャフト５から抜く力が、実際には１９６Ｎ以上必要となる場合があるが、樹脂材料のロータリートランス保持部材８であれば、そうした金属同士のかじりや焼付きを引き起こすことがなく、ロータリートランス保持部材８をシャフト５から抜く時に必要な力は９８Ｎ以下で設定が可能になる。
【００１７】
こうして構成されたヘッドドラム装置１０においては、磁気ヘッド４を含む回転ドラム３が回転することによって、固定側ロータリートランス７から回転側ロータリートランス６へ映像および音声等の信号が伝送され、磁気ヘッド４が磁気テープ２に接触する間に、映像および音声等の情報が記録される。また、記録済みの磁気テープ２であれば、上述した逆の経路で記録情報を再生することができる。
【００１８】
以上のように本実施の形態によれば、樹脂材料で成形されたロータリートランス保持部材が、金属材料の切削加工を用いることなく安価になり、高精度に組立が可能で、且つ解体や再生が容易なヘッドドラム装置を得ることが出来る。
【００１９】
（実施の形態２）
図２は本発明の実施の形態２におけるヘッドドラム装置１１の側面図を示す。なお、図２においては、特にヘッドドラム装置１１の上部の構成を明確に示すためにヘッドドラム装置１１の上部のみの部分断面図とした。なお、１〜７は図１と同様である。また、９は樹脂材料で成形されたロータリートランス保持部材である。ロータリートランス保持部材９は、磁気テープをガイドするための外周壁９ａを設けており、その他の構成は、実施の形態１で説明したロータリートランス保持部材８と同じである。
【００２０】
ここで、図２に示すように、ヘッドドラム装置１１のように、例えば回転ドラム３の外周の軸方向長さが磁気テープ２の幅より小さい場合には、磁気テープ２が動作中に、回転ドラム３の上へ乗り上げる可能性があり、そうした時に、磁気テープ２が折れたり、傷付いたりすることがある。そこでロータリートランス保持部材９の最外周に、磁気テープ２をガイドする外周壁９ａを設けることで、磁気テープ２が動作中でも、回転ドラム３の上へ乗り上げることはない。また、このような構成であれば、図４に示すような、従来のロータリートランス保持部材１３と上ドラム１５を、樹脂材料による成形で一体化することが出来、部品点数が削減される。
【００２１】
こうして構成されたヘッドドラム装置１１においては、磁気ヘッド４を含む回転ドラム３が回転することによって、固定側ロータリートランス７から回転側ロータリートランス６へ映像および音声等の信号が伝送され、磁気ヘッド４が磁気テープ２に接触する間に、映像および音声等の情報が記録される。また、記録済みの磁気テープ２であれば、上述した逆の経路で記録情報を再生することができる。
【００２２】
以上のように本実施の形態によれば、樹脂材料で成形されたロータリートランス保持部材が、磁気テープをガイドするための外周壁を設けることで、部品点数の削減により安価となり、高精度に組立が可能で、且つ解体や再生が容易な、回転ドラムの外周の軸方向長さが磁気テープの幅より小さい場合のヘッドドラム装置を得ることが出来る。
【００２３】
（実施の形態３）
本発明の実施の形態３については、図１で示すように、ヘッドドラム装置１０に具備されたロータリートランス保持部材８が、熱膨張係数が１×１０-5〜５×１０-5の樹脂材料で構成されることにより、ヘッドドラム装置１０の使用環境温度が変化しても、ロータリートランス保持部材８に固着した固定側ロータリートランス７と回転側ロータリートランス６の隙間を確保することが可能となる。ここで、最小の隙間は、回転側ロータリートランス６と固定側ロータリートランス７のシャフト５に対する直角度、および回転ドラム３や回転側ロータリートランス６と固定側ロータリートランス７の熱膨張も加味して、０．００５ｍｍ程度を目安とする。また、ヘッドドラム装置１０の使用環境温度については、小型ビデオカメラの使用実態や、使用中の小型ビデオカメラ内部の温度上昇より、５０℃の変化と設定した。ここで、温度変化による部品の軸方向長さの変化量を数式１に示す。
【００２４】
ΔＬ＝ｋ×Δｔ×Ｌ  ・・・（数式１）
上記の数式において、ｋは熱膨張係数、Δｔは温度変化量、Ｌは部品の肉厚長さ、ΔＬは肉厚長さＬの部位における、温度変化による長さの変化量である。
【００２５】
樹脂材料で成形されるロータリートランス保持部材８の肉厚は、任意ではあるが、小型部品として設計する上で、０．１〜２ｍｍに設けることが適当である。また、ロータリートランス保持部材８に固着した固定側ロータリートランス７と回転側ロータリートランス６の隙間は、ロータリートランス保持部材８をシャフト５に圧入する精度を考慮して、０．０１ｍｍ〜０．０５ｍｍの範囲で設けることが適当である。この場合に、ヘッドドラム装置１０の使用環境温度が５０℃変化した時に、ロータリートランス保持部材８の肉厚が、最大に変化する値は０．００５ｍｍとなり、仮に、その値だけロータリートランス保持部材８に固着した固定側ロータリートランス７が、回転側ロータリートランス６の方へ移動したとしても、固定側ロータリートランス７と回転側ロータリートランス６の最小の隙間は、０．００５ｍｍ確保することが出来る。なお、本発明の実施の形態３については、図２で示すヘッドドラム装置１１についても適用が可能である。
【００２６】
こうして構成されたヘッドドラム装置１０、あるいはヘッドドラム装置１１においては、磁気ヘッド４を含む回転ドラム３が回転することによって、固定側ロータリートランス７から回転側ロータリートランス６へ映像および音声等の信号が伝送され、磁気ヘッド４が磁気テープ２に接触する間に、映像および音声等の情報が記録される。また、記録済みの磁気テープ２であれば、上述した逆の経路で記録情報を再生することができる。
【００２７】
以上のように本実施の形態によれば、熱膨張係数が１×１０-5〜５×１０-5の樹脂材料で成形されたロータリートランス保持部材を設けることで、小型ビデオカメラの使用環境温度が変化しても、ロータリートランスの伝送特性を損なわず、安価で、高精度に組立が可能で、且つ解体や再生が容易なヘッドドラム装置を得ることが出来る。
【産業上の利用可能性】
【００２８】
本発明にかかるヘッドドラム装置は、小型ビデオカメラなどに有用であり、安価で、且つ高精度に組立が可能で、且つ組立不良を解体して再生出来るように製造することに適している。
【図面の簡単な説明】
【００２９】
【図１】本発明の実施の形態１におけるヘッドドラム装置の側面要部断面図
【図２】本発明の実施の形態２におけるヘッドドラム装置の側面要部断面図
【図３】従来のヘッドドラム装置の側面要部断面図
【図４】従来実施の別例のヘッドドラム装置の側面要部断面図
【符号の説明】
【００３０】
１    固定ドラム
２    磁気テープ
３    回転ドラム
４    磁気ヘッド
５    シャフト
６    回転側ロータリートランス
７    固定側ロータリートランス
８    ロータリートランス保持部材
８ａ    凸部
９ａ    外周壁
１０    ヘッドドラム装置
１５    上ドラム
【図１】
2005317098.tif 000003
【図２】
2005317098.tif 000004
【図３】
2005317098.tif 000005
【図４】
2005317098.tif 000006